(57)【要約】【課題】  磁性箔を利用した電磁波シールドシートにおいて、磁性箔がこぼれ落ちるのを良好に防止すること。【解決手段】  電磁波シールドシート１０は、磁性箔１１を備え、その上面にＰＥＴ製のフィルム１２、下面に両面粘着テープ１３，フィルム１４，両面粘着テープ１５が配設されている。フィルム１２，１４及び両面粘着テープ１３は、周囲が磁性箔から四方にはみ出すように配設され、そのはみ出した部分で、フィルム１２，１４が両面粘着テープ１３を介して貼着されている。このため、フィルム１２，１４は磁性箔１１を包むユニット状に構成され、磁性箔１１がこぼれ落ちるのを防止することができる。両面粘着テープ１５を介して電子部品の上端面等に貼着することにより、電磁波シールドを行うことができる。【選択図】  図２
2005203564.tif 000002
【特許請求の範囲】
【請求項１】
磁性箔と、
該磁性箔を両面から覆うシート状部材と、
を備えた電磁波シールドシートであって、
上記シート状部材が、上記磁性箔の端縁部からはみ出してそのはみ出した部分で互いに封着されることにより、上記磁性箔を密封することを特徴とする電磁波シールドシート。
【請求項２】
上記磁性箔の少なくとも片面が上記シート状部材に貼着されたことを特徴とする請求項１記載の電磁波シールドシート。
【請求項３】
上記シート状部材が、上記磁性箔の一方の面を覆う第１のシート状部材と、上記磁性箔の他方の面を覆う第２のシート状部材とからなり、
上記第１のシート状部材または上記第２のシート状部材の一方が、他方に比べてより平らなシート状部材であることを特徴とする請求項１または２記載の電磁波シールドシート。
【請求項４】
上記シート状部材が、上記磁性箔の一方の面を覆う第１のシート状部材と、上記磁性箔の他方の面を覆う第２のシート状部材とからなり、
上記第１のシート状部材及び上記第２のシート状部材の、上記磁性箔の端縁部からはみ出した部分が、互いに貼着されたことを特徴とする請求項１〜３のいずれかに記載の電磁波シールドシート。
【請求項５】
上記シート状部材が、上記磁性箔の一方の面を覆う第１のシート状部材と、上記磁性箔の他方の面を覆う第２のシート状部材とからなり、
上記第１のシート状部材及び上記第２のシート状部材の、上記磁性箔の端縁部からはみ出した部分が、互いに溶着されたことを特徴とする請求項１〜３のいずれかに記載の電磁波シールドシート。
【請求項６】
上記シート状部材の少なくとも該シート状部材の中心部の表面に、両面粘着テープが貼着されたことを特徴とする請求項１〜４のいずれかに記載の電磁波シールドシート。
【請求項７】
上記シート状部材の内、少なくとも一方のシート状部材が、両面粘着テープであることを特徴とする請求項１〜４のいずれかに記載の電磁波シールドシート。
【請求項８】
上記両面粘着テープの表面に、その両面粘着テープより広い面積を有するキャリアシートが貼着されたことを特徴とする請求項６記載の電磁波シールドシート。
【請求項９】
上記シート状部材が透明または半透明であることを特徴とする請求項１〜８のいずれかに記載の電磁波シールドシート。
【請求項１０】
基板上に実装される電子部品の平面部に請求項１〜９のいずれかに記載の電磁波シールドシートを取り付けた電磁波シールドシートの取り付け構造であって、
上記磁性箔が、上記平面部以上の面積を有することを特徴とする電磁波シールドシートの取り付け構造。
【発明の詳細な説明】
【技術分野】
【０００１】
本発明は、磁性箔を利用した電磁波シールドシートに関する。
【背景技術】
【０００２】
各種制御のデジタル化、信号処理の高速化、高密度実装化等の技術革新により、パーソナルコンピュータや携帯電話等のデジタル電子機器が急速に普及拡大している。これに伴い電磁ノイズが問題視されており、その対策が重要な課題となっている。これらを対策するための電磁シールドシートとして、従来からパーマロイ（Ｆｅ−Ｎｉ合金）、珪素鋼板（Ｆｅ−Ｓｉ合金）、Ｆｅ基或いはＣｏ基のアモルファス合金等の磁性体で形成された磁性箔を使用することが考えられている。また、これらの磁性箔は、一般の金属に比べて脆いものが多いため、磁性箔の両面に樹脂層を形成して強度を補強することも考えられている（例えば、特許文献１参照。）。
【特許文献１】特開２００３−３３９８９号公報
【発明の開示】
【発明が解決しようとする課題】
【０００３】
ところが、上記のように磁性箔の強度を補強した場合でも、端縁に露出した磁性箔が崩れ落ちたり、切断して使用する場合に切断部から磁性箔の切りカスが出たりする可能性がある。このように、磁性箔が樹脂層の間からこぼれ落ちると、磁性箔自体に導電性があるため、周囲の回路に障害を引き起こす可能性がある。そこで、本発明は、磁性箔を利用した電磁波シールドシートにおいて、磁性箔がこぼれ落ちるのを良好に防止することを目的としてなされた。
【課題を解決するための手段】
【０００４】
上記目的を達するためになされた請求項１記載の発明は、磁性箔と、該磁性箔を両面から覆うシート状部材と、を備えた電磁波シールドシートであって、上記シート状部材が、上記磁性箔の端縁部からはみ出してそのはみ出した部分で互いに封着されることにより、上記磁性箔を密封することを特徴としている。
【０００５】
本発明では、磁性箔を両面から覆うシート状部材は、磁性箔の端縁部からはみ出してそのはみ出した部分で互いに封着されている。このため、シート状部材は磁性箔をユニット状に包んで密封する。
【０００６】
請求項２記載の発明は、請求項１記載の構成に加え、上記磁性箔の少なくとも片面が上記シート状部材に貼着されたことを特徴としている。
磁性箔は比較的脆い、または加工性が悪く切りくずなどが出やすい素材であるが、本発明では、その磁性箔の少なくとも片面を上記シート状部材に貼着している。このため、磁性箔が崩れ難くまたはこぼれ落ち難くなる。
【０００７】
請求項３記載の発明は、請求項１または２記載の構成に加え、上記シート状部材が、上記磁性箔の一方の面を覆う第１のシート状部材と、上記磁性箔の他方の面を覆う第２のシート状部材とからなり、上記第１のシート状部材または上記第２のシート状部材の一方が、他方に比べてより平らなシート状部材であることを特徴としている。
【０００８】
本発明では、第１のシート状部材または第２のシート状部材の一方が、他方に比べてより平らなシート状部材であるので、その平らな方のシート状部材を電子部品等に装着すれば、一層良好に装着できる。
【０００９】
請求項４記載の発明は、請求項１〜３のいずれかに記載の構成に加え、上記シート状部材が、上記磁性箔の一方の面を覆う第１のシート状部材と、上記磁性箔の他方の面を覆う第２のシート状部材とからなり、上記第１のシート状部材及び上記第２のシート状部材の、上記磁性箔の端縁部からはみ出した部分が、互いに貼着されたことを特徴としている。
【００１０】
すなわち、本発明の電磁波シールド材は、第１のシート状部材，磁性箔，第２のシート状部材を順次重ね、第１のシート状部材及び第２のシート状部材における、それぞれの磁性箔の端縁部からはみ出した部分を互いに貼着することによって得られる。このため、磁性箔の端縁部が上記貼着部によって保護され、磁性箔が崩れ難くまたはこぼれ落ち難くなる。
【００１１】
請求項５記載の発明は、請求項１〜３のいずれかに記載の構成に加え、上記シート状部材が、上記磁性箔の一方の面を覆う第１のシート状部材と、上記磁性箔の他方の面を覆う第２のシート状部材とからなり、上記第１のシート状部材及び上記第２のシート状部材の、上記磁性箔の端縁部からはみ出した部分が、互いに溶着されたことを特徴としている。
【００１２】
すなわち、本発明の電磁波シールド材は、第１のシート状部材，磁性箔，第２のシート状部材を順次重ね、第１のシート状部材及び第２のシート状部材における、それぞれの磁性箔の端縁部からはみ出した部分を互いに溶着することによって得られる。このため、磁性箔の端縁部が上記溶着部によって保護され、磁性箔が崩れ難くまたはこぼれ落ち難くなる。
【００１３】
請求項６記載の発明は、請求項１〜５のいずれかに記載の構成に加え、上記シート状部材の少なくとも該シート状部材の中心部の表面に、両面粘着テープが貼着されたことを特徴としている。
【００１４】
本発明では、シート状部材の中心部表面（外側の面）に、両面粘着テープが貼着されているので、その両面粘着テープを介して電子部品等に装着することが可能となる。
請求項７記載の発明は、請求項１〜４のいずれかに記載の構成に加え、上記シート状部材の内、少なくとも一方のシート状部材が、両面粘着テープであることを特徴としている。
【００１５】
本発明では、上記シート状部材自体が両面粘着テープの基材を構成しているので、その両面粘着テープを介して電子部品等に装着することが可能となる。
請求項８記載の発明は、請求項６記載の構成に加え、上記両面粘着テープの表面に、その両面粘着テープより広い面積を有するキャリアシートが貼着されたことを特徴としている。
【００１６】
本発明では、上記両面粘着テープの表面（外側の面）にキャリアシートが貼着されているので、電磁波シールドシートをキャリアシートと一体に持ち歩き、使用時にキャリアシートから剥がして使用することが可能となる。しかも、そのキャリアシートは上記両面粘着テープより広い面積を有するので、電磁波シールドシートをキャリアシートから剥がすのも容易である。
【００１７】
請求項９記載の発明は、請求項１〜８のいずれかに記載の構成に加え、上記シート状部材が透明または半透明であることを特徴としている。
本発明では、シート状部材が透明または半透明であるため、磁性箔を電子部品等の表面に位置決めするのが一層容易になる。
【００１８】
請求項１０記載の発明は、基板上に実装される電子部品の平面部に請求項１〜９のいずれかに記載の電磁波シールドシートを取り付けた電磁波シールドシートの取り付け構造であって、上記磁性箔が、上記平面部以上の面積を有することを特徴としている。
【００１９】
本発明では、請求項１〜８のいずれかに記載の電磁波シールドシートを電子部品に取り付けているので、前述のようにその電子部品に対する電磁波シールドが可能となる。また、本発明では、磁性箔が電子部品の平面部以上の面積を有している。このため、その電子部品に出入りする電磁波は一層良好にシールドされる。更に、シート状部材は磁性箔の端縁部からはみ出しており、延いては、電子部品の平面部からもはみ出している。このため、シート状部材は、電気・電子機器などのメンテナンス時に誤って電子部品のリード端子にドライバ等の他の導電部材が接触するのも防止する。
【発明の効果】
【００２０】
このように、請求項１記載の発明では、磁性箔を何らかの部材で単に挟むのではなく、シート状部材によって袋状に包んで密封している。このため、磁性箔がこぼれ落ちるのを良好に防止して、その磁性箔によって良好に電磁波シールドを行うことができる。従って、本発明では、磁性箔の落下による障害を回路に起こすことなく、電磁ノイズの発生を良好にしかも容易に抑制することができる。なお、本発明でいう密封とは、必ずしも気密に密封することを言うのではなく、磁性箔の落下を防止できる程度に封着できればよい。
【００２１】
請求項２記載の発明では、磁性箔の少なくとも片面をシート状部材に貼着することによって、その磁性箔が崩れるのを防止することができる。すなわち、磁性箔が崩れると、電磁波シールドシート内の磁性箔が一箇所に集まり、電磁波シールド効果が発揮できなくなる場合があるが、本発明ではこのような事態の発生を良好に防止することができる。従って、請求項１記載の発明の効果に加えて、磁性箔の形状を一層良好に維持して一層良好に電磁波シールドを行うことができるといった効果が生じる。
【００２２】
請求項３記載の発明では、請求項１または２記載の発明の効果に加えて、平らな方のシート状部材を電子部品等に装着することによって、その電磁波シールドシートを一層良好に装着して、電磁波シールドを一層良好に行うことができるといった効果が生じる。
【００２３】
請求項４記載の発明では、磁性箔の端縁部をシート状部材の貼着部によって保護し、その磁性箔が崩れるのを防止することができる。従って、請求項１〜３のいずれかに記載の発明の効果に加えて、磁性箔の形状を一層良好に維持して電磁波シールドを一層良好に行うことができるといった効果が生じる。
【００２４】
請求項５記載の発明では、磁性箔の端縁部をシート状部材の溶着部によって保護し、その磁性箔が崩れるのを防止することができる。従って、請求項１〜３のいずれかに記載の発明の効果に加えて、磁性箔の形状を一層良好に維持して電磁波シールドを一層良好に行うことができるといった効果が生じる。
【００２５】
請求項６記載の発明では、シート状部材表面に貼着された両面粘着テープを介して電子部品等に装着することが可能となる。従って、請求項１〜５のいずれかに記載の発明の効果に加えて、電子部品等への装着を一層容易にすることができ、その装着作業の作業性を一層向上させることができるといった効果が生じる。
【００２６】
請求項７記載の発明では、シート状部材としての両面粘着テープを介して電子部品等に装着することが可能となる。従って、請求項１〜４のいずれかに記載の発明の効果に加えて、電子部品等への装着を一層容易にすることができ、その装着作業の作業性を一層向上させることができるといった効果が生じる。
【００２７】
請求項８記載の発明では、電磁波シールドシートをキャリアシートごと持ち歩き、使用時にキャリアシートから剥がして使用することができる。しかも、その電磁波シールドシートをキャリアシートから剥がすのも容易である。従って、本発明では、請求項６記載の発明の効果に加えて、電子部品等に対する装着作業の作業性を一層向上させることができるといった効果が生じる。なお、キャリアシートに複数の電磁波シールドシートを並べて貼着し、キャリアシートが電磁波シールドシートの全体よりも広い面積を有する場合、複数の電磁波シールドシートの装着が容易に行え、上記作業性が一層向上する。
【００２８】
請求項９記載の発明では、磁性箔を電子部品等の表面に位置決めするのが一層容易になる。従って、請求項１〜８のいずれかに記載の発明の効果に加えて、電子部品等に対する装着作業の作業性を一層向上させることができるといった効果が生じる。
【００２９】
請求項１０記載の発明では、請求項１〜９のいずれかに記載の電磁波シールドシートを電子部品の平面部に取り付けているので、前述のようにその電子部品に対する電磁波シールドを行うことができる。また、本発明では、磁性箔が、電子部品の平面部以上の面積を有しているので、その電子部品に出入りする電磁波を一層良好にシールドすることができる。更に、シート状部材は磁性箔の端縁部からはみ出しており、延いては、電子部品の平面部からもはみ出しているので、電子部品のリード端子にドライバ等の他の導電部材が接触するのも防止することができる。
【発明を実施するための最良の形態】
【００３０】
次に、本発明が適用された実施の形態を図面と共に説明する。本実施の形態の電磁波シールドシート１０は、図１に示すように、ＰＥＴ製のキャリアテープ２０の上面（以下の説明では、図１における上方を「上方」として説明する）に、一列に並べて配設される。
【００３１】
図１及びそのＡ−Ａ線断面図としての図２（Ａ）に示すように、電磁波シールドシート１０は、（１２mm×１２mm×０．０２５mm）の大きさの磁性箔１１を備え、その上面に、第１のシート状部材としての（１４mm×１４mm×０．０２５mm）の大きさのフィルム１２が重ねられている。すなわち、図２（Ｂ）の上面図に示すように、磁性箔１１の一辺の長さａに対してフィルム１２の一辺の長さｂの方が２mm長く設けてある。すなわち、フィルム１２は磁性箔１１の周囲（四方）のはみ出す部分ｃがそれぞれ１mmになる。
【００３２】
図１及び図２（Ａ）において、磁性箔１１の下面及び磁性箔１１の周囲にはみ出したフィルム１２の下面には両面粘着テープ１３が貼着されている。そして、両面粘着テープ１３の下面には第２のシート状部材としてのフィルム１４が、フィルム１４の下面には両面粘着テープ１５が、両面粘着テープ１５の下面にはキャリアテープ２０が、順次貼着されている。なお、各図では、便宜上各部の厚さを実際の比率よりも厚く描いた（特に両面粘着テープ１３，１５）。
【００３３】
磁性箔１１としては、商品名「ＭＥＴＧＬＡＳ」（輸入元：日本非晶質金属株式会社）を使用した。また、フィルム１４はフィルム１２と同じ大きさの透明（半透明でもよい）のＰＥＴフィルムである。更に、両面粘着テープ１３，１５（ＪＩＳ  Ｚ１５２８を参照）は、フィルム１２，１４と同様のシート状である。
【００３４】
このため、電磁波シールドシート１０では、フィルム１２，１４が磁性箔１１の周囲で両面粘着テープ１３を介して互いに貼着され、磁性箔１１を密封するユニット状に構成される。そして、フィルム１４の下面が両面粘着テープ１５を介してキャリアテープ２０の上面に貼着されることにより、磁性箔１１とフィルム１２，１４と両面粘着テープ１３，１５とからなる電磁波シールドシート１０が、透明なＰＥＴ製のキャリアテープ２０の中央に一列に配設されている。
【００３５】
このように構成された電磁波シールドシート１０は、キャリアテープ２０から１つずつ剥がし、図３に例示するように、プリント基板３１に載置されたＩＣ等の電子部品３２の上端面（平面部に相当）に、両面粘着テープ１５を介して固定される。なお、磁性箔１１の面積は、図４（Ａ）に示すように電子部品３２の上端面の面積と同じか、図４（Ｂ）に示すようにそれよりも若干広い方が好ましい。この場合、電子部品３２に出入りする電磁波を一層良好にシールドすることができる。
【００３６】
また、このとき、フィルム１２，１４及び両面粘着テープ１３，１５が電子部品３２の上端面から外周方向にはみ出すので、電子部品３２のリード端子３２ａに図示しないドライバ等の他の導電部材が接触するのも防止することができる。なお、図４（Ｃ）に示すように、磁性箔１１よりも若干大きい電子部品３２に装着して、電磁波シールドシート１０の外周が電子部品３２の外周と一致することや、電磁波シールドシート１０の外周が電子部品３２の外周よりも小さくなるようにしてもよいことは言うまでもない。
【００３７】
更に、電磁波シールドシート１０では、磁性箔以外の部分を透明（または半透明）にすると、電子部品３２に対する位置決めも容易になる。また、図２（Ａ）に示すように、フィルム１２の内、磁性箔１１よりはみ出し、僅かな凹凸になっている部分の面を他方の面に設けることによって、フィルム１４及び両面粘着テープ１３，１５をほぼ平面にすることができる。このため、電磁波シールドシート１０を一層都合よく電子部品３２に貼着して、電子部品３２に対し、より隙間の少ない電磁波シールドができる。
【００３８】
このように、電磁波シールドシート１０は電子部品３２の上端面に容易にかつ安定して固定することができ、電子部品３２に出入りする電磁波を磁性箔１１によって良好にシールドすることができる。しかも、磁性箔１１は両面粘着テープ１３を介してフィルム１４に貼着されているので、磁性箔１１の強度を補強することができる。磁性箔１１が崩れると、電磁波シールドシート１０内の磁性箔１１が一箇所に集まり、電磁波シールド効果が発揮できなくなる場合があるが、本形態ではこのような事態の発生を良好に防止することができる。更に、磁性箔１１の強度が補強されることで、磁性箔１１の選択の幅が広がる。また、磁性箔１１の周囲でフィルム１２，１４を貼り合せたことによってその貼着部によっても磁性箔１１を保護することができ、磁性箔１１の形状を一層良好に維持することができる。従って、本実施の形態では、電子部品３２に出入りする電磁波を極めて良好にシールドして、電磁ノイズの発生を極めて良好に抑制することができる。
【００３９】
更に、電磁波シールドシート１０では、磁性箔１１をフィルム１２，１４によってユニット状に包んでいるので、磁性箔１１が部分的に割れたり端縁部が崩れたりしても、それがプリント基板３１にこぼれ落ちるのを良好に防止することができる。従って、磁性箔１１のこぼれ落ちによってプリント基板３１上の回路に障害が生じるのも良好に防止できる。なお、磁性箔１１、フィルム１２，１４を、両面粘着テープ１３を介して貼着する際に気泡の入らないように貼着すれば、それらの密着性が向上し、上記効果が一層顕著に表れる。
【００４０】
また、本発明は上記実施の形態に何等限定されるものではなく、本発明の要旨を逸脱しない範囲で種々の形態で実施することができる。例えば、図５（Ａ）に示すように両面粘着テープ１５及びキャリアテープ２０を省略してもよく、図５（Ｂ）に示すようにフィルム１４及び両面粘着テープ１５を省略してもよく、図５（Ｃ）に示すようにキャリアテープ２０の代わりに剥離紙２１を使用してもよい。
【００４１】
図５（Ａ）の形態では、磁性箔１１，フィルム１２，両面粘着テープ１３，及びフィルム１４によって構成された電磁波シールドシート１０を、接着剤や図示しない他の両面粘着テープを介して電子部品３２の上端面等に固定することができる。図５（Ｂ）の形態では、磁性箔１１，フィルム１２，及び両面粘着テープ１３によって構成された簡易な電磁波シールドシート１０を、両面粘着テープ１３を介して電子部品３２の上端面等に固定することができる。なお、図５（Ｂ）の形態では、両面粘着テープ１３の基材が第２のシート状部材に相当する。また、両面粘着テープ１３としては、紙を基材としたものも使用することができる。すなわち、本発明におけるシート状部材としては、フィルム以外にも種々のものを使用することができる。
【００４２】
図５（Ｃ）の形態では、図１〜図３に示したものと同様の電磁波シールドシート１０を、剥離紙２１を剥がすことによって電子部品３２の上端面等に固定することができる。なお、剥離紙２１は、１つの電磁波シールドシート１０に１枚ずつ設けてもよく、キャリアテープ２０と同様に、複数の電磁波シールドシート１０に共有されてもよい。
【００４３】
また、図１に示したものは、キャリアテープ２０が電磁波シールドシート１０より広い幅を有しているので、使用時にもキャリアテープ２０から容易に剥がすことができる。また、キャリアテープ２０と多数の電磁波シールドシート１０の長尺ものを巻物にしておけば、電子部品３２等に対する装着作業の作業性を一層向上させることができる。
【００４４】
更に、上記実施の形態では、磁性箔１１を上下から覆うフィルム１２，１４の、磁性箔１１の端縁部からはみ出した部分を、両面粘着テープ１３で互いに貼着しているが、この部分はラミネート方式で互いに溶着してもよい。図５（Ｄ）は、図５（Ｃ）の形態において、両面粘着テープ１３を磁性箔１１と同じ大きさに揃えると共に、フィルム１２，１４をラミネート方式で溶着したものである。また、図５（Ｅ）は、図１〜図３に示した形態において、両面粘着テープ１３を磁性箔１１と同じ大きさに揃えると共に、フィルム１２，１４をラミネート方式で溶着したものである。
【００４５】
また更に、上記各形態では、第１のシート状部材（フィルム１２），磁性箔１１，第２のシート状部材（フィルム１４または両面粘着テープ１３）を順次重ねて構成しているが、シート状部材は１枚で構成してもよい。例えば、図５（Ｆ）に示すように、フィルム１２，１４を合わせた幅を有するフィルム１６を磁性箔１１に巻きつけ、両端を溶着してもよい。但し、前述の各形態の方が、磁性箔１１の全周に亘ってフィルムの溶着部または貼着部が形成され、これによって磁性箔１１を保護することにより、その磁性箔１１の崩れまたはこぼれ落ちを一層良好に防止することができる。また、図５（Ｂ）を除く上記各形態において、両面粘着テープ１３は接着剤の層と置き換えてもよい。
【図面の簡単な説明】
【００４６】
【図１】本発明が適用された電磁波シールドシートの構成を表す斜視図である。
【図２】その電磁波シールドシートの構成を表す断面図及び上面図である。
【図３】その電磁波シールドシートの使用方法を例示する斜視図である。
【図４】その電磁波シールドシートと電子部品との大小関係を例示する側面図である。
【図５】その電磁波シールドシートの変形例の構成を表す断面図である。
【符号の説明】
【００４７】
１０…電磁波シールドシート    １１…磁性箔            １２，１４，１６…フィルム
１３，１５…両面粘着テープ    ２０…キャリアテープ    ３２…電子部品
【図１】
2005203564.tif 000003
【図２】
2005203564.tif 000004
【図３】
2005203564.tif 000005
【図４】
2005203564.tif 000006
【図５】
2005203564.tif 000007